(57)【要約】      （修正有）【課題】複数の貨幣処理装置に装填された貨幣や複数の貨幣処理装置から回収された貨幣の金種毎の総枚数や総金額と、警備会社から金融機関や商業施設等に運搬されたまたは警備会社に戻された貨幣の金種毎の枚数や合計金額とが一致しているかどうかを容易に確認することができ、貨幣の厳正な管理を行うことができる貨幣処理システムおよび貨幣処理方法を提供する。【解決手段】貨幣処理システムにおいて各貨幣処理装置（自動両替機１０、貨幣管理装置４０）は互いに通信接続されている。判断手段３４は、各貨幣処理装置に投入されたまたは投出された貨幣の金種毎の総枚数または総金額と、手入力された情報または外部から送信された情報に係る貨幣の金種毎の枚数または合計金額とが一致するか否かを判断するようになっている。【選択図】図４
2014081801.tif 000002
【特許請求の範囲】
【請求項１】
機体内に投入された貨幣の金種毎の枚数または合計金額、または機体外に投出された貨幣の金種毎の枚数または合計金額を計数可能な貨幣処理装置を複数備えた貨幣処理システムであって、
前記各貨幣処理装置は互いに通信接続されており、
前記各貨幣処理装置に投入されたまたは投出された貨幣の金種毎の総枚数または総金額と、手入力された情報または外部から送信された情報に係る貨幣の金種毎の枚数または合計金額とが一致するか否かを判断する第１の判断手段を備えた、貨幣処理システム。
【請求項２】
前記第１の判断手段により、前記各貨幣処理装置に投入されたまたは投出された貨幣の金種毎の総枚数または総金額と、手入力された情報または外部から送信された情報に係る貨幣の金種毎の枚数または合計金額とが一致しないと判断されたときに、このことを操作者に報知するための第１の報知手段を更に備えた、請求項１記載の貨幣処理システム。
【請求項３】
前記第１の報知手段は、前記各貨幣処理装置のうち一の貨幣処理装置に設置されている、請求項２記載の貨幣処理システム。
【請求項４】
機体内に投入された貨幣の金種毎の枚数または合計金額、または機体外に投出された貨幣の金種毎の枚数または合計金額を計数可能な貨幣処理装置を複数備えた貨幣処理システムであって、
前記各貨幣処理装置は互いに通信接続されており、
手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額と一致するか否かを判断する第２の判断手段を備えた、貨幣処理システム。
【請求項５】
前記第２の判断手段により、手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額とが一致しないと判断されたときに、このことを操作者に報知するための第２の報知手段を更に備えた、請求項４記載の貨幣処理システム。
【請求項６】
前記第２の報知手段は、前記各貨幣処理装置のうち一の貨幣処理装置に設置されている、請求項５記載の貨幣処理システム。
【請求項７】
前記各貨幣処理装置のうちある貨幣処理装置から投出された貨幣の金種毎の枚数または合計金額と、前記各貨幣処理装置のうち別の貨幣処理装置に投入された貨幣の金種毎の枚数または合計金額とが一致するか否かを判断する第３の判断手段を更に備えた、請求項１乃至６のいずれか一項に記載の貨幣処理システム。
【請求項８】
機体内に投入された貨幣の金種毎の枚数または合計金額、または機体外に投出された貨幣の金種毎の枚数または合計金額を計数可能な貨幣処理装置を複数備え、前記各貨幣処理装置が互いに通信接続されている貨幣処理システムによる貨幣処理方法であって、
前記各貨幣処理装置に貨幣を投入または前記各貨幣処理装置から貨幣を投出する工程と、
前記各貨幣処理装置に投入されたまたは投出された貨幣の金種毎の総枚数または総金額と、手入力された情報または外部から送信された情報に係る貨幣の金種毎の枚数または合計金額とが一致するか否かを判断する工程と、
を備えた、貨幣処理方法。
【請求項９】
機体内に投入された貨幣の金種毎の枚数または合計金額、または機体外に投出された貨幣の金種毎の枚数または合計金額を計数可能な貨幣処理装置を複数備え、前記各貨幣処理装置が互いに通信接続されている貨幣処理システムによる貨幣処理方法であって、
前記各貨幣処理装置に貨幣を投入または前記各貨幣処理装置から貨幣を投出する工程と、
手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額と一致するか否かを判断する工程と、
を備えた、貨幣処理方法。
【発明の詳細な説明】
【技術分野】
【０００１】
本発明は、機体内に投入された貨幣の金種毎の枚数または合計金額、または機体外に投出された貨幣の金種毎の枚数または合計金額を計数可能な貨幣処理装置を複数備えた貨幣処理システムおよびこのような貨幣処理システムによる貨幣処理方法に関する。
【背景技術】
【０００２】
従来から、金融機関のフロント領域（顧客が立ち入ることができる領域）や商業施設のバックヤード領域（店員のみが立ち入ることができる領域）などに設置される両替機として例えば特許文献１等に開示されるものが知られている。このような両替機に貨幣を装填する場合、警備会社の作業員等によって金融機関や商業施設等に貨幣が運搬され、この運搬された貨幣が両替機に装填されるようになる。そして、金融機関や商業施設等に運搬された貨幣を両替機に装填しきれなかった場合には、余った貨幣は金融機関や商業施設等の両替機近傍に設置された貨幣管理装置（現金バスとも呼ばれる）に収納されるようになる。
【先行技術文献】
【特許文献】
【０００３】
【特許文献１】特開２０１２−６４０１５号公報
【発明の概要】
【発明が解決しようとする課題】
【０００４】
しかしながら、このような方法で両替機への貨幣の装填処理を行った場合、警備会社から金融機関や商業施設等に運搬された貨幣の金種毎の枚数や合計金額と、両替機および貨幣管理装置にそれぞれ収納された貨幣の金種毎の総枚数や総金額とが一致しているかどうかの確認を従来では行うことができなかった。このため、両替機に入りきらなかった貨幣の一部が貨幣管理装置に収納される前に悪意ある操作者によって抜き取られた場合でも、このような不正行為を検出することができず、貨幣の厳正な管理を行うことができないという問題があった。また、両替機や貨幣管理装置から貨幣を回収する場合においても同様に、両替機および貨幣管理装置からそれぞれ回収された貨幣の金種毎の総枚数や総金額と、金融機関や商業施設等から警備会社に運搬される貨幣の金種毎の枚数や合計金額とが一致しているかどうかの確認を従来では行うことができず、貨幣の厳正な管理を行うことができないという問題があった。
【０００５】
本発明は、このような点を考慮してなされたものであり、複数の貨幣処理装置に装填された貨幣や複数の貨幣処理装置から回収された貨幣の金種毎の総枚数や総金額と、警備会社から金融機関や商業施設等に運搬されたまたは警備会社に戻された貨幣の金種毎の枚数や合計金額とが一致しているかどうかを容易に確認することができ、貨幣の厳正な管理を行うことができる貨幣処理システムおよび貨幣処理方法を提供することを目的とする。
【課題を解決するための手段】
【０００６】
本発明の貨幣処理システムは、機体内に投入された貨幣の金種毎の枚数または合計金額、または機体外に投出された貨幣の金種毎の枚数または合計金額を計数可能な貨幣処理装置を複数備えた貨幣処理システムであって、前記各貨幣処理装置は互いに通信接続されており、前記各貨幣処理装置に投入されたまたは投出された貨幣の金種毎の総枚数または総金額と、手入力された情報または外部から送信された情報に係る貨幣の金種毎の枚数または合計金額とが一致するか否かを判断する第１の判断手段を備えたことを特徴とする。
【０００７】
このような貨幣処理システムによれば、各貨幣処理装置は互いに通信接続されており、第１の判断手段は、各貨幣処理装置に投入されたまたは投出された貨幣の金種毎の総枚数または総金額と、手入力された情報または外部から送信された情報に係る貨幣の金種毎の枚数または合計金額とが一致するか否かを判断するようになっている。このことにより、警備会社から金融機関や商業施設等の店舗に運搬された貨幣が不正なく適正に各貨幣処理装置にそれぞれ収納されたか否か、あるいは各貨幣処理装置からそれぞれ貨幣が不正なく適正に回収されたか否かを判断することができるようになる。
【０００８】
上述のような貨幣処理システムは、前記第１の判断手段により、前記各貨幣処理装置に投入されたまたは投出された貨幣の金種毎の総枚数または総金額と、手入力された情報または外部から送信された情報に係る貨幣の金種毎の枚数または合計金額とが一致しないと判断されたときに、このことを操作者に報知するための第１の報知手段を更に備えていてもよい。
【０００９】
この際に、前記第１の報知手段は、前記各貨幣処理装置のうち一の貨幣処理装置に設置されていてもよい。
【００１０】
本発明の他の貨幣処理システムは、機体内に投入された貨幣の金種毎の枚数または合計金額、または機体外に投出された貨幣の金種毎の枚数または合計金額を計数可能な貨幣処理装置を複数備えた貨幣処理システムであって、前記各貨幣処理装置は互いに通信接続されており、手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額と一致するか否かを判断する第２の判断手段を備えたことを特徴とする。
【００１１】
このような貨幣処理システムによれば、各貨幣処理装置は互いに通信接続されており、第２の判断手段は、手入力された情報または外部から送信された情報に係る貨幣の金種毎の枚数または合計金額から、各貨幣処理装置のうち一の貨幣処理装置に投入されたまたは投出された貨幣の金種毎の枚数または合計金額を差し引いた値が、各貨幣処理装置のうち他の全ての貨幣処理装置に投入されたまたは投出された貨幣の金種毎の総枚数または総金額と一致するか否かを判断するようになっている。このことにより、警備会社から金融機関や商業施設等の店舗に運搬された貨幣が不正なく適正に各貨幣処理装置にそれぞれ収納されたか否か、あるいは各貨幣処理装置からそれぞれ貨幣が不正なく適正に回収されたか否かを判断することができるようになる。
【００１２】
上述のような貨幣処理システムは、前記第２の判断手段により、手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額とが一致しないと判断されたときに、このことを操作者に報知するための第２の報知手段を更に備えていてもよい。
【００１３】
この際に、前記第２の報知手段は、前記各貨幣処理装置のうち一の貨幣処理装置に設置されていてもよい。
【００１４】
本発明の貨幣処理システムは、前記各貨幣処理装置のうちある貨幣処理装置から投出された貨幣の金種毎の枚数または合計金額と、前記各貨幣処理装置のうち別の貨幣処理装置に投入された貨幣の金種毎の枚数または合計金額とが一致するか否かを判断する第３の判断手段を更に備えていてもよい。
【００１５】
本発明の貨幣処理方法は、機体内に投入された貨幣の金種毎の枚数または合計金額、または機体外に投出された貨幣の金種毎の枚数または合計金額を計数可能な貨幣処理装置を複数備え、前記各貨幣処理装置が互いに通信接続されている貨幣処理システムによる貨幣処理方法であって、前記各貨幣処理装置に貨幣を投入または前記各貨幣処理装置から貨幣を投出する工程と、前記各貨幣処理装置に投入されたまたは投出された貨幣の金種毎の総枚数または総金額と、手入力された情報または外部から送信された情報に係る貨幣の金種毎の枚数または合計金額とが一致するか否かを判断する工程と、を備えたことを特徴とする。
【００１６】
このような貨幣処理方法によれば、各貨幣処理装置は互いに通信接続されており、また、各貨幣処理装置に投入されたまたは投出された貨幣の金種毎の総枚数または総金額と、手入力された情報または外部から送信された情報に係る貨幣の金種毎の枚数または合計金額とが一致するか否かを判断するようになっている。このことにより、警備会社から金融機関や商業施設等の店舗に運搬された貨幣が不正なく適正に各貨幣処理装置にそれぞれ収納されたか否か、あるいは各貨幣処理装置からそれぞれ貨幣が不正なく適正に回収されたか否かを判断することができるようになる。
【００１７】
本発明の他の貨幣処理方法は、機体内に投入された貨幣の金種毎の枚数または合計金額、または機体外に投出された貨幣の金種毎の枚数または合計金額を計数可能な貨幣処理装置を複数備え、前記各貨幣処理装置が互いに通信接続されている貨幣処理システムによる貨幣処理方法であって、前記各貨幣処理装置に貨幣を投入または前記各貨幣処理装置から貨幣を投出する工程と、手入力された情報または外部から送信された情報に係る貨幣の金種毎の枚数または合計金額から、前記各貨幣処理装置のうち一の貨幣処理装置に投入されたまたは投出された貨幣の金種毎の枚数または合計金額を差し引いた値が、前記各貨幣処理装置のうち他の全ての貨幣処理装置に投入されたまたは投出された貨幣の金種毎の総枚数または総金額と一致するか否かを判断する工程と、を備えたことを特徴とする。
【００１８】
このような貨幣処理方法によれば、各貨幣処理装置は互いに通信接続されており、また、手入力された情報または外部から送信された情報に係る貨幣の金種毎の枚数または合計金額から、各貨幣処理装置のうち一の貨幣処理装置に投入されたまたは投出された貨幣の金種毎の枚数または合計金額を差し引いた値が、各貨幣処理装置のうち他の全ての貨幣処理装置に投入されたまたは投出された貨幣の金種毎の総枚数または総金額と一致するか否かを判断するようになっている。このことにより、警備会社から金融機関や商業施設等の店舗に運搬された貨幣が不正なく適正に各貨幣処理装置にそれぞれ収納されたか否か、あるいは各貨幣処理装置からそれぞれ貨幣が不正なく適正に回収されたか否かを判断することができるようになる。
【発明の効果】
【００１９】
本発明の貨幣処理システムおよび貨幣処理方法によれば、複数の貨幣処理装置に装填された貨幣や複数の貨幣処理装置から回収された貨幣の金種毎の総枚数や総金額と、警備会社から金融機関や商業施設等に運搬されたまたは警備会社に戻された貨幣の金種毎の枚数や合計金額とが一致しているかどうかを容易に確認することができ、貨幣の厳正な管理を行うことができる。
【図面の簡単な説明】
【００２０】
【図１】本発明の実施の形態による貨幣処理システムの全体構成を示す構成図である。
【図２】図１に示す貨幣処理システムの自動両替機における包装硬貨処理部および装填庫装着部の内部構成を示す構成図である。
【図３】図１に示す貨幣処理システムの自動両替機を後方から見たときの斜視図である。
【図４】図１に示す貨幣処理システムの機能ブロック図である。
【図５】自動両替機の装填庫装着部に設けられた背面表示部の構成を示す図である。
【図６】各背面表示部における表示内容を示すための説明図である。
【図７】自動両替機の操作表示部における、各背面表示部の表示内容を設定するための画面を示す図である。
【発明を実施するための形態】
【００２１】
以下、図面を参照して本発明の実施の形態について説明する。図１乃至図７は、本実施の形態に係る貨幣処理システムおよびこのような貨幣処理システムによる貨幣処理方法を示す図である。このうち、図１は、本実施の形態による貨幣処理システムの全体構成を示す構成図であり、図２は、図１に示す貨幣処理システムの自動両替機における包装硬貨処理部および装填庫装着部の内部構成を示す構成図であり、図３は、図１に示す貨幣処理システムの自動両替機を後方から見たときの斜視図である。また、図４は、図１に示す貨幣処理システムの機能ブロック図である。また、図５は、自動両替機の装填庫装着部に設けられた背面表示部の構成を示す図であり、図６は、各背面表示部における表示内容を示すための説明図である。また、図７は、自動両替機の操作表示部における、各背面表示部の表示内容を設定するための画面を示す図である。
【００２２】
図１に示すように、本実施の形態による貨幣処理システムは、金融機関や商業施設等の店舗１内にそれぞれ設置された自動両替機１０および貨幣管理装置４０（現金バスとも呼ばれる）から構成されている。本実施の形態では、自動両替機１０は、機体内に投入された紙幣や硬貨等の貨幣の金種毎の枚数または合計金額、あるいは機体外に投出された貨幣の金種毎の枚数または合計金額を計数可能となっている。同様に、貨幣管理装置４０は、機体内に投入された紙幣や硬貨等の貨幣の金種毎の枚数または合計金額、あるいは機体外に投出された貨幣の金種毎の枚数または合計金額を計数可能となっている。ここで、「機体内に投入された貨幣の金種毎の枚数または合計金額や、機体外に投出された貨幣の金種毎の枚数または合計金額」について具体的に説明すると、例えば自動両替機１０の機体内に例えば１００枚の１００円硬貨および２枚の千円札が投入されたときには、自動両替機１０において、機体内に投入された貨幣の金種毎の枚数として、１００円硬貨が１００枚であることおよび千円札が２枚であることが計数される。また、機体内に投入された貨幣の合計金額が１２，０００円（＝１００円硬貨×１００枚＋千円札×２枚）であることが計数される。また、図１に示すように、金融機関や商業施設等の店舗１の外部に設けられた警備会社２には上位サーバ６０が設置されている。以下、自動両替機１０および貨幣管理装置４０の構成について簡単に説明する。
【００２３】
自動両替機１０は、バラ硬貨の出金処理を行うバラ硬貨処理部１２、バラ紙幣の入出金処理を行うバラ紙幣処理部１４、および包装硬貨の出金処理を行う包装硬貨処理部１６を備えている。また、自動両替機１０の筐体の前面には例えばタッチパネル方式の操作表示部３０が設けられており、自動両替機１０や貨幣管理装置４０における貨幣の処理状況や在高等が操作表示部３０に表示されたり、操作者がこの操作表示部３０によって自動両替機１０や貨幣管理装置４０の操作を行ったりすることができるようになっている。
【００２４】
バラ硬貨処理部１２には、バラ硬貨を収納するバラ硬貨収納部分１２ａと、両替後のバラ硬貨をバラ硬貨収納部分１２ａから機体外に投出するためのバラ硬貨取出口１２ｂとがそれぞれ設けられている。また、バラ硬貨取出口１２ｂにはシャッタ１２ｃが設けられており、当該シャッタ１２ｃによりバラ硬貨取出口１２ｂの開閉が行われるようになっている。また、バラ硬貨処理部１２には、バラ硬貨収納部分１２ａから機体外に投出されるバラ硬貨の金種毎の枚数や合計金額を計数する計数手段１２ｐ（図４参照）が設けられている。具体的には、計数手段１２ｐは、例えば、バラ硬貨収納部分１２ａからバラ硬貨取出口１２ｂに送られる硬貨の金種等の識別を行う識別部からなる。
【００２５】
また、バラ紙幣処理部１４には、バラ紙幣を収納するバラ紙幣収納部分１４ａと、機体内にバラ紙幣を投入してバラ紙幣収納部分１４ａに収納したりバラ紙幣収納部分１４ａから機体外にバラ紙幣を取り出したりするためのバラ紙幣取出口１４ｂとがそれぞれ設けられている。また、バラ紙幣取出口１４ｂにはシャッタ１４ｃが設けられており、当該シャッタ１４ｃによりバラ紙幣取出口１４ｂの開閉が行われるようになっている。また、バラ紙幣処理部１４には、機体外からバラ紙幣収納部分１４ａに投入されるバラ紙幣の金種毎の枚数や合計金額、あるいはバラ紙幣収納部分１４ａから機体外に投出されるバラ紙幣の金種毎の枚数や合計金額を計数する計数手段１４ｐ（図４参照）が設けられている。具体的には、計数手段１４ｐは、例えば、バラ紙幣取出口１４ｂからバラ紙幣収納部分１４ａに送られたりバラ紙幣収納部分１４ａからバラ紙幣取出口１４ｂに送られたりする紙幣の金種等の識別を行う識別部からなる。
【００２６】
また、包装硬貨処理部１６には、包装硬貨を機体外に投出するための包装硬貨取出口１６ａが設けられている。また、包装硬貨取出口１６ａにはシャッタ１６ｂが設けられており、当該シャッタ１６ｂにより包装硬貨取出口１６ａの開閉が行われるようになっている。また、包装硬貨処理部１６には、当該包装硬貨処理部１６に包装硬貨を供給するための装填庫装着部１８が包装硬貨処理部１６に対して着脱可能に設置されている。
【００２７】
図２は、図１に示す自動両替機１０における包装硬貨処理部１６および装填庫装着部１８の内部構成を示す構成図であり、図３は、図１に示す自動両替機１０を後方から見たときの斜視図である。図２に示すように、装填庫装着部１８には複数の装填庫２０（トレイ）が装着可能となっている。各装填庫２０には金種別に例えば２５本の包装硬貨が収納可能となっている。図２では装填庫２０は縦方向にのみ設置されているが、実際には装填庫２０は縦２列で装填庫装着部１８に設置されている。また、図３に示すように、装填庫装着部１８の背面には係員用表示部２１が設けられている。また、装填庫装着部１８における、包装硬貨を装填庫２０に装填するための出し入れ口には開閉扉２４、２６が設けられている。
【００２８】
図２に示すように、包装硬貨処理部１６には、金種別の装填庫２０から包装硬貨を１本ずつ取り出してその金種等を鑑別した上で収納する昇降式のバケット２２を有しており、バケット２２に集積された包装硬貨は、包装硬貨取出口１６ａを介して操作者により取り出されるようになっている。
【００２９】
各装填庫２０は、図２に示すように、同一金種の包装硬貨を奥行き方向に並列状態で多数（例えば、２５本）収納することができるように、長尺形状に構成されている。ここで、金種別の装填庫２０は左右二列で上下方向に複数段配設され、各装填庫２０は、包装硬貨が排出される先端部分が下向きとなるように前傾姿勢で装填庫装着部１８に抜き取り可能に装着されている。また、装填庫装着部１８には、各装填庫２０の装着の有無を検知するための装着センサ２３が各装填庫２０に対応して設けられている。各装着センサ２３は、装填庫装着部１８に設けられた上下方向の枠部（図示せず）の、各段の装填庫２０の先端に対応する位置に取り付けられており、装填庫２０を検知することにより、装填庫２０が装填庫装着部１８に装着されているか否かを検知するようになっている。
【００３０】
また、装填庫装着部１８には、この装填庫装着部１８に装填された各装填庫２０に収納されている包装硬貨の金種毎の本数や合計金額を計数する包装硬貨検知センサ（図示せず）が装填庫２０毎に設けられている。このような包装硬貨検知センサにより、装填庫装着部１８から包装硬貨処理部１６に供給される包装硬貨の金種毎の枚数や合計金額を計数する計数手段１８ｐ（図４参照）が構成されている。ここで、装填庫装着部１８から包装硬貨処理部１６に供給された包装硬貨はこの包装硬貨処理部１６から包装硬貨取出口１６ａにより機体外に投出されるため、計数手段１８ｐは、包装硬貨処理部１６から機体外に投出される包装硬貨の金種毎の枚数や合計金額を計数する機能も有するようになる。
【００３１】
また、装填庫装着部１８の背面には、図５に示すような背面表示部２８が複数設けられている。各背面表示部２８は各装填庫２０に対応して、左右二列で上下方向に複数段配設されている。各背面表示部２８は例えば液晶表示器を用いたものであるが、これに限定されることはなく、発光ダイオードＬＥＤ、有機ＥＬ等を用いたものでもよい。本実施の形態では、各装填庫２０に対応して設けられる各背面表示部２８は数字を表示するようになっているが、数字に加えてアルファベット等を表示できるようになっていてもよい。
【００３２】
図５では、左右列ごとの、１段目〜１４段目の装填庫２０の表示例を示している。各背面表示部２８は、対応する各装填庫２０に装填されている包装硬貨の本数を表示するようになっている。あるいは、各背面表示部２８は、対応する各装填庫２０に装填可能な包装硬貨の本数である装填可能本数（すなわち、最大収容本数から現在収容されている包装硬貨の本数を差し引いた数）を表示するようになっていてもよい。このような各背面表示部２８における表示内容の詳細については後述する。
【００３３】
また、図４に示すように、自動両替機１０には制御部３８が設けられており、バラ硬貨処理部１２、バラ紙幣処理部１４、包装硬貨処理部１６、装填庫装着部１８はそれぞれ制御部３８に接続されている。そして、これらのバラ硬貨処理部１２、バラ紙幣処理部１４、包装硬貨処理部１６、装填庫装着部１８は制御部３８により制御されるようになっている。ここで、装填庫装着部１８に設けられた各装着センサ２３や各背面表示部２８も制御部３８に接続されている。このことにより、各装着センサ２３による検出情報は制御部３８に送られるようになっている。また、制御部３８が各背面表示部２８に指令信号を送ることにより、各背面表示部２８における表示内容を制御するようになっている。
【００３４】
また、図４に示すように操作表示部３０および係員用表示部２１もそれぞれ制御部３８に接続されている。このことにより、操作者によって操作表示部３０により入力された指令は制御部３８に送られるようになっている。また、制御部３８が操作表示部３０や係員用表示部２１に指令を送ることにより、これらの操作表示部３０や係員用表示部２１における表示内容を制御するようになっている。
【００３５】
また、図４に示すように、制御部３８には記憶部３２、判断手段３４およびインターフェース３６がそれぞれ接続されている。記憶部３２には、例えばバラ硬貨処理部１２、バラ紙幣処理部１４、装填庫装着部１８にそれぞれ収納されているバラ硬貨、バラ紙幣および包装硬貨の金種毎の枚数や合計金額を記憶するようになっている。また、インターフェース３６により自動両替機１０の制御部３８は外部装置（具体的には、貨幣管理装置４０や上位サーバ６０）と信号の送受信を行うことができるようになっている。また、判断手段３４は、自動両替機１０および貨幣管理装置４０に投入されたまたは投出された貨幣の金種毎の総枚数または総金額、あるいはその両方と、操作者によって操作表示部３０により手入力された情報、または警備会社２の上位サーバ６０から送信された情報に係る貨幣の金種毎の枚数または合計金額、あるいはその両方とが一致するか否かを判断するようになっている。このような判断手段３４による判断手法の詳細については後述する。
【００３６】
次に、貨幣管理装置４０の構成について以下に説明する。図１に示すように、貨幣管理装置４０は、例えば１万円の束紙幣を収納する第１紙幣収納ドロア４１と、その他の金種の束紙幣を収納する第２紙幣収納ドロア４２と、例えば１円、１０円および１００円の包装硬貨を収納する第１硬貨収納ドロア４３と、例えば５円、５０円および５００円の包装硬貨を収納する第２硬貨収納ドロア４４と、現金以外の有価証券類を収納可能な予備収納ドロア４５と、を有している。ここで、各収納ドロア４１、４２、４３、４４の底部には重量計（図示せず）が設けられており、各収納ドロア４１、４２、４３、４４に収納された束紙幣や包装硬貨の重量を重量計により測定することによって、各収納ドロア４１、４２、４３、４４に収納されている束紙幣や包装硬貨の金種毎の枚数や合計金額を計測することができるようになっている。
【００３７】
また、貨幣管理装置４０の筐体の上面には、キーボード式の操作部４６と、表示部４７と、操作者が所持するＩＤカードの内容を読み取るＩＤカードリーダ４８とがそれぞれ設けられている。
【００３８】
また、図４に示すように、貨幣管理装置４０には制御部５０が設けられており、第１紙幣収納ドロア４１、第２紙幣収納ドロア４２、第１硬貨収納ドロア４３、第２硬貨収納ドロア４４、および予備収納ドロア４５はそれぞれ制御部５０に接続されている。そして、各収納ドロア４１、４２、４３、４４に設けられた重量計による測定結果が制御部５０に送られるようになっており、このことにより制御部５０は各収納ドロア４１、４２、４３、４４に収納された束紙幣や包装硬貨の金種毎の枚数や合計金額を計測するようになっている。また、図４に示すように、操作部４６、表示部４７、およびＩＤカードリーダ４８もそれぞれ制御部５０に接続されている。このことにより、操作者によって操作部４６により入力された指令や、ＩＤカードリーダ４８により読み取られたＩＤカードの内容に係る情報は制御部５０に送られるようになっている。また、制御部５０が表示部４７に指令を送ることにより、この表示部４７における表示内容を制御するようになっている。
【００３９】
また、図４に示すように、制御部５０には記憶部５２およびインターフェース５４がそれぞれ接続されている。記憶部５２には、例えば各収納ドロア４１、４２、４３、４４に収納されている束紙幣や包装硬貨の金種毎の枚数や合計金額を記憶するようになっている。また、インターフェース５４により貨幣管理装置４０の制御部５０は外部装置（具体的には、自動両替機１０）と信号の送受信を行うことができるようになっている。
【００４０】
次に、このような構成からなる貨幣処理システムの動作について以下に説明する。
【００４１】
〔自動両替機１０や貨幣管理装置４０への貨幣の収納動作〕
まず、警備会社２から金融機関や商業施設等の店舗１に運搬された貨幣を自動両替機１０や貨幣管理装置４０に収納する方法について説明する。警備会社２の作業員等（以下、単に「作業者」ともいう）によって金融機関や商業施設等の店舗１に運搬された貨幣はまず自動両替機１０に装填され、自動両替機１０に装填しきれなかった分の貨幣が貨幣管理装置４０に収納される。また、作業者は、警備会社２から金融機関や商業施設等の店舗１に運搬された貨幣の金種毎の枚数または合計金額、あるいはその両方を自動両替機１０の操作表示部３０により入力する。ここで、作業者が自動両替機１０の操作表示部３０により上記の情報を入力する代わりに、警備会社２から金融機関や商業施設等の店舗１に運搬された貨幣の金種毎の枚数または合計金額、あるいはその両方に関する情報が警備会社２の上位サーバ６０から自動両替機１０の制御部３８に送信されるようになっていてもよい。
【００４２】
本実施の形態の一の態様では、自動両替機１０や貨幣管理装置４０に貨幣を収納するにあたり、作業者は自動両替機１０の操作表示部３０によりまとめて操作を行うようになっている。より具体的には、自動両替機１０に貨幣を装填するにあたり、作業者は操作表示部３０における表示画面を「装填メニュー画面」に切り替え、この操作表示部３０により「装填処理」を行うことを制御部３８に入力する。その後、作業者は自動両替機１０のバラ硬貨処理部１２、バラ紙幣処理部１４および装填庫装着部１８にそれぞれバラ硬貨、バラ紙幣、包装硬貨を装填する。この際に、各計数手段１２ｐ、１４ｐ、１８ｐにより、自動両替機１０の機体内に投入されたバラ硬貨、バラ紙幣、包装硬貨等の貨幣の金種毎の枚数または合計金額、あるいはその両方が計数される。
【００４３】
次に、作業者は、自動両替機１０の操作表示部３０により、貨幣管理装置４０の機体内に投入されるべき束紙幣や包装硬貨に関するデータを入力する。具体的には、作業者は操作表示部３０における表示画面を「予備金装填メニュー画面」に切り替え、貨幣管理装置４０の機体内に投入されるべき束紙幣や包装硬貨の金種毎の枚数または合計金額、あるいはその両方に係る情報を自動両替機１０の操作表示部３０により入力する。なお、このような作業者による手入力は省略してもよい。その後、作業者は貨幣管理装置４０の各収納ドロア４１、４２、４３、４４に束紙幣や包装硬貨を収納する。ここで、各収納ドロア４１、４２、４３、４４にそれぞれ設けられた重量計により、収納された束紙幣や包装硬貨の重量が測定されることによって、各収納ドロア４１、４２、４３、４４に収納された束紙幣や包装硬貨の金種毎の枚数や合計金額が計測される。計測された貨幣の金種毎の枚数や合計金額に関する情報は貨幣管理装置４０の制御部５０から自動両替機１０の制御部３８に送信される。自動両替機１０の制御部３８では、作業者により手入力されたデータと、貨幣管理装置４０の制御部５０から送信されたデータとが一致するか否かの判断を行う。両者のデータが一致していない場合には、その旨の情報が自動両替機１０の操作表示部３０に警告表示される。一方、両者のデータが一致している場合には、制御部３８において、貨幣管理装置４０に収納された貨幣の金種毎の枚数または合計金額、あるいはその両方の情報が「予備金装填データ」として登録され、記憶部３２に記憶される。
【００４４】
また、自動両替機１０の判断手段３４によって、自動両替機１０および貨幣管理装置４０にそれぞれ投入された貨幣の金種毎の総枚数または総金額、あるいはその両方と、操作者によって最初に操作表示部３０により手入力された情報、または警備会社２の上位サーバ６０から送信された情報に係る貨幣の金種毎の枚数または合計金額、あるいはその両方とが一致するか否かの判断が行われる。両者の情報が一致する場合には、警備会社２から金融機関や商業施設等の店舗１に運搬された貨幣が不正なく適正に自動両替機１０および貨幣管理装置４０にそれぞれ収納されたと判断することができる。一方、両者の情報が一致しない場合には、この旨の情報が操作表示部３０に警告表示され、作業者に報知されるようになる。このことにより、警備会社２から金融機関や商業施設等の店舗１に運搬された貨幣が適正に自動両替機１０や貨幣管理装置４０に収納されていないことを作業者は認識することができる。また、両者の情報が一致しない場合に、その旨の情報が自動両替機１０の制御部３８から警備会社２の上位サーバ６０に送信されるようになっている。このことにより、警備会社２から金融機関や商業施設等の店舗１に運搬された貨幣が適正に自動両替機１０や貨幣管理装置４０に収納されていないことを警備会社２側で把握することができる。
【００４５】
なお、本実施の形態の他の態様として、貨幣管理装置４０に貨幣を収納するにあたり、作業者は自動両替機１０の操作表示部３０により操作を行う代わりに貨幣管理装置４０の操作部４６により操作を行うようになっていてもよい。この場合には、貨幣管理装置４０に貨幣を収納する際に、作業者は、貨幣管理装置４０の操作部４６により、当該貨幣管理装置４０の機体内に投入されるべき束紙幣や包装硬貨に関するデータを入力する。具体的には、作業者は、貨幣管理装置４０の機体内に投入されるべき束紙幣や包装硬貨の金種毎の枚数または合計金額、あるいはその両方に係る情報を貨幣管理装置４０の操作部４６により入力する。なお、このような作業者による手入力は省略してもよい。その後、作業者は貨幣管理装置４０の各収納ドロア４１、４２、４３、４４に束紙幣や包装硬貨を収納する。各収納ドロア４１、４２、４３、４４にそれぞれ設けられた重量計により、収納された束紙幣や包装硬貨の重量が測定されることによって、各収納ドロア４１、４２、４３、４４に収納された束紙幣や包装硬貨の金種毎の枚数や合計金額が計測される。なお、まず貨幣管理装置４０の各収納ドロア４１、４２、４３、４４に束紙幣や包装硬貨を収納し、その後、貨幣管理装置４０の操作部４６により、当該貨幣管理装置４０の機体内に投入された束紙幣や包装硬貨に関するデータを入力してもよい。貨幣管理装置４０の制御部５０では、作業者により手入力されたデータと、各重量計により計数されたデータとが一致するか否かの判断を行う。両者のデータが一致していない場合には、その旨の情報が貨幣管理装置４０の表示部４７に警告表示される。一方、両者のデータが一致している場合には、貨幣管理装置４０の制御部５０において、当該貨幣管理装置４０に収納された貨幣の金種毎の枚数または合計金額、あるいはその両方の情報が「予備金装填データ」として登録され、記憶部５２に記憶される。また、この場合には、貨幣管理装置４０に収納された貨幣の金種毎の枚数または合計金額、あるいはその両方の情報が、貨幣管理装置４０の制御部５０から自動両替機１０の制御部３８に送信される。
【００４６】
また、自動両替機１０の判断手段３４によって、自動両替機１０および貨幣管理装置４０にそれぞれ投入された貨幣の金種毎の総枚数または総金額、あるいはその両方と、操作者によって最初に操作表示部３０により手入力された情報、または警備会社２の上位サーバ６０から送信された情報に係る貨幣の金種毎の枚数または合計金額、あるいはその両方とが一致するか否かの判断が行われる。
【００４７】
〔自動両替機１０や貨幣管理装置４０からの貨幣の回収動作〕
次に、自動両替機１０や貨幣管理装置４０に収納されている貨幣を回収する方法について説明する。自動両替機１０や貨幣管理装置４０から回収された貨幣は、警備会社２の作業員等によって金融機関や商業施設等の店舗１から警備会社２に運搬されるようになっている。また、作業者は、自動両替機１０や貨幣管理装置４０から回収された貨幣の金種毎の枚数または合計金額、あるいはその両方を自動両替機１０の操作表示部３０により入力する。ここで、作業者が自動両替機１０の操作表示部３０により上記の情報を入力する代わりに、金融機関や商業施設等の店舗１から警備会社２に運搬された貨幣の金種毎の枚数または合計金額、あるいはその両方に関する情報が警備会社２の上位サーバ６０から自動両替機１０の制御部３８に送信されるようになっていてもよい。
【００４８】
本実施の形態の一の態様では、自動両替機１０や貨幣管理装置４０から貨幣を回収するにあたり、作業者は自動両替機１０の操作表示部３０によりまとめて操作を行うようになっている。より具体的には、自動両替機１０に収納されている貨幣を回収するにあたり、作業者は操作表示部３０における表示画面を「回収メニュー画面」に切り替え、この操作表示部３０により「回収処理」を行うことを制御部３８に入力する。その後、作業者は自動両替機１０のバラ硬貨処理部１２、バラ紙幣処理部１４および装填庫装着部１８からそれぞれバラ硬貨、バラ紙幣、包装硬貨を回収する。この際に、各計数手段１２ｐ、１４ｐ、１８ｐにより、自動両替機１０の機体外に投出されたバラ硬貨、バラ紙幣、包装硬貨等の貨幣の金種毎の枚数または合計金額、あるいはその両方が計数される。
【００４９】
次に、作業者は、自動両替機１０の操作表示部３０により、貨幣管理装置４０から回収されるべき束紙幣や包装硬貨に関するデータを入力する。具体的には、作業者は操作表示部３０における表示画面を「予備金回収メニュー画面」に切り替え、貨幣管理装置４０から回収されるべき束紙幣や包装硬貨の金種毎の枚数または合計金額、あるいはその両方に係る情報を自動両替機１０の操作表示部３０により入力する。なお、このような作業者による手入力は省略してもよい。その後、作業者は貨幣管理装置４０の各収納ドロア４１、４２、４３、４４から束紙幣や包装硬貨を回収する。ここで、各収納ドロア４１、４２、４３、４４にそれぞれ設けられた重量計により、これらの各収納ドロア４１、４２、４３、４４から取り出された束紙幣や包装硬貨の重量が測定されることによって、各収納ドロア４１、４２、４３、４４から回収された束紙幣や包装硬貨の金種毎の枚数や合計金額が計測される。計測された貨幣の金種毎の枚数や合計金額に関する情報は貨幣管理装置４０の制御部５０から自動両替機１０の制御部３８に送信される。自動両替機１０の制御部３８では、作業者により手入力されたデータと、貨幣管理装置４０の制御部５０から送信されたデータとが一致するか否かの判断を行う。両者のデータが一致していない場合には、その旨の情報が自動両替機１０の操作表示部３０に警告表示される。一方、両者のデータが一致している場合には、制御部３８において、貨幣管理装置４０から回収された貨幣の金種毎の枚数または合計金額、あるいはその両方の情報が「予備金回収データ」として登録され、記憶部３２に記憶される。
【００５０】
また、自動両替機１０の判断手段３４によって、自動両替機１０および貨幣管理装置４０からそれぞれ回収された貨幣の金種毎の総枚数または総金額、あるいはその両方と、操作者によって最初に操作表示部３０により手入力された情報、または警備会社２の上位サーバ６０から送信された情報に係る貨幣の金種毎の枚数または合計金額、あるいはその両方とが一致するか否かの判断が行われる。両者の情報が一致する場合には、自動両替機１０および貨幣管理装置４０からそれぞれ貨幣が不正なく適正に回収されたと判断することができる。一方、両者の情報が一致しない場合には、この旨の情報が操作表示部３０に警告表示され、作業者に報知されるようになる。このことにより、自動両替機１０や貨幣管理装置４０から貨幣が適正に回収されていないことを作業者は認識することができる。また、両者の情報が一致しない場合に、その旨の情報が自動両替機１０の制御部３８から警備会社２の上位サーバ６０に送信されるようになっている。このことにより、自動両替機１０や貨幣管理装置４０から貨幣が適正に回収されていないことを警備会社２側で把握することができる。
【００５１】
なお、本実施の形態の他の態様として、貨幣管理装置４０から貨幣を回収するにあたり、作業者は自動両替機１０の操作表示部３０により操作を行う代わりに貨幣管理装置４０の操作部４６により操作を行うようになっていてもよい。この場合には、貨幣管理装置４０から貨幣を回収する際に、作業者は、貨幣管理装置４０の操作部４６により、当該貨幣管理装置４０から回収されるべき束紙幣や包装硬貨に関するデータを入力する。具体的には、作業者は、貨幣管理装置４０から回収されるべき束紙幣や包装硬貨の金種毎の枚数または合計金額、あるいはその両方に係る情報を貨幣管理装置４０の操作部４６により入力する。なお、このような作業者による手入力は省略してもよい。その後、作業者は貨幣管理装置４０の各収納ドロア４１、４２、４３、４４から束紙幣や包装硬貨を回収する。ここで、各収納ドロア４１、４２、４３、４４にそれぞれ設けられた重量計により、これらの各収納ドロア４１、４２、４３、４４から取り出された束紙幣や包装硬貨の重量が測定されることによって、各収納ドロア４１、４２、４３、４４から回収された束紙幣や包装硬貨の金種毎の枚数や合計金額が計測される。なお、まず貨幣管理装置４０の各収納ドロア４１、４２、４３、４４から束紙幣や包装硬貨を回収し、その後、貨幣管理装置４０の操作部４６により、当該貨幣管理装置４０から回収された束紙幣や包装硬貨に関するデータを入力してもよい。貨幣管理装置４０の制御部５０では、作業者により手入力されたデータと、各重量計により計数されたデータとが一致するか否かの判断を行う。両者のデータが一致していない場合には、その旨の情報が貨幣管理装置４０の表示部４７に警告表示される。一方、両者のデータが一致している場合には、貨幣管理装置４０の制御部５０において、当該貨幣管理装置４０に収納された貨幣の金種毎の枚数または合計金額、あるいはその両方の情報が「予備金回収データ」として登録され、記憶部５２に記憶される。また、この場合には、貨幣管理装置４０から取り出された貨幣の金種毎の枚数または合計金額、あるいはその両方の情報が、貨幣管理装置４０の制御部５０から自動両替機１０の制御部３８に送信される。
【００５２】
また、自動両替機１０の判断手段３４によって、自動両替機１０および貨幣管理装置４０からそれぞれ回収された貨幣の金種毎の総枚数または総金額、あるいはその両方と、操作者によって最初に操作表示部３０により手入力された情報、または警備会社２の上位サーバ６０から送信された情報に係る貨幣の金種毎の枚数または合計金額、あるいはその両方とが一致するか否かの判断が行われる。
【００５３】
〔貨幣管理装置４０から自動両替機１０への貨幣の移動動作〕
次に、貨幣管理装置４０から束紙幣や包装硬貨を取り出し、バラ紙幣やバラ硬貨にした後、あるいは包装硬貨のまま、自動両替機１０に収納する方法について説明する。ここで、貨幣管理装置４０から束紙幣や包装硬貨を取り出す動作を行うにあたり、自動両替機１０の操作表示部３０により操作を行う方法と、貨幣管理装置４０の操作部４６により操作を行う方法とがある。前者の方法では、作業者はまず、自動両替機１０の操作表示部３０により、貨幣管理装置４０から取り出されるべき束紙幣や包装硬貨に関するデータを入力する。具体的には、作業者は、貨幣管理装置４０から取り出されるべき束紙幣や包装硬貨の金種毎の枚数または合計金額、あるいはその両方に係る情報を自動両替機１０の操作表示部３０により入力する。なお、このような作業者による手入力は省略してもよい。その後、作業者は貨幣管理装置４０の各収納ドロア４１、４２、４３、４４から束紙幣や包装硬貨を取り出す。ここで、各収納ドロア４１、４２、４３、４４にそれぞれ設けられた重量計により、これらの各収納ドロア４１、４２、４３、４４から取り出された束紙幣や包装硬貨の重量が測定されることによって、各収納ドロア４１、４２、４３、４４から取り出された束紙幣や包装硬貨の金種毎の枚数や合計金額が計測される。計測された貨幣の金種毎の枚数や合計金額に関する情報は貨幣管理装置４０の制御部５０から自動両替機１０の制御部３８に送信される。自動両替機１０の制御部３８では、作業者により手入力されたデータと、貨幣管理装置４０の制御部５０から送信されたデータとが一致するか否かの判断を行う。両者のデータが一致していない場合には、その旨の情報が自動両替機１０の操作表示部３０に警告表示される。一方、両者のデータが一致している場合には、制御部３８において、貨幣管理装置４０から貨幣が適正に取り出されたと判断されるようになり、貨幣管理装置４０から取り出された束紙幣や包装硬貨の金種毎の枚数または合計金額、あるいはその両方の情報が記憶部３２に記憶される。
【００５４】
一方、貨幣管理装置４０から束紙幣や包装硬貨を取り出す動作を行うにあたり、貨幣管理装置４０の操作部４６により操作を行う方法を用いた場合には、作業者はまず、貨幣管理装置４０の操作部４６により、当該貨幣管理装置４０から取り出されるべき束紙幣や包装硬貨に関するデータを入力する。具体的には、作業者は、貨幣管理装置４０から取り出されるべき束紙幣や包装硬貨の金種毎の枚数または合計金額、あるいはその両方に係る情報を自動両替機１０の操作表示部３０により入力する。なお、このような作業者による手入力は省略してもよい。その後、作業者は貨幣管理装置４０の各収納ドロア４１、４２、４３、４４から束紙幣や包装硬貨を取り出す。ここで、各収納ドロア４１、４２、４３、４４にそれぞれ設けられた重量計により、これらの各収納ドロア４１、４２、４３、４４から取り出された束紙幣や包装硬貨の重量が測定されることによって、各収納ドロア４１、４２、４３、４４から取り出された束紙幣や包装硬貨の金種毎の枚数や合計金額が計測される。貨幣管理装置４０の制御部５０では、作業者により手入力されたデータと、各重量計により計数されたデータとが一致するか否かの判断を行う。両者のデータが一致していない場合には、その旨の情報が貨幣管理装置４０の表示部４７に警告表示される。一方、両者のデータが一致している場合には、貨幣管理装置４０から貨幣が適正に取り出されたと判断されるようになり、貨幣管理装置４０から取り出された束紙幣や包装硬貨の金種毎の枚数または合計金額、あるいはその両方の情報が記憶部５２に記憶される。また、この場合には、貨幣管理装置４０から取り出された貨幣の金種毎の枚数または合計金額、あるいはその両方の情報が、貨幣管理装置４０の制御部５０から自動両替機１０の制御部３８に送信される。
【００５５】
その後、作業者は、自動両替機１０の操作表示部３０により、当該操作表示部３０における表示画面を「予備金移動メニュー画面」に切り替え、この操作表示部３０により「予備金移動処理」を行うことを制御部３８に入力する。そして、作業者は、自動両替機１０の操作表示部３０により、自動両替機１０に投入されるべき貨幣の金種毎の枚数または合計金額、あるいはその両方に関する情報を入力する。なお、このような作業者による手入力は省略してもよい。その後、作業者は自動両替機１０のバラ硬貨処理部１２、バラ紙幣処理部１４および装填庫装着部１８にそれぞれバラ硬貨、バラ紙幣、包装硬貨を装填する。この際に、各計数手段１２ｐ、１４ｐ、１８ｐにより、自動両替機１０の機体内に投入されたバラ硬貨、バラ紙幣、包装硬貨等の貨幣の金種毎の枚数または合計金額、あるいはその両方が計数される。
【００５６】
また、自動両替機１０の判断手段３４によって、貨幣管理装置４０から取り出された貨幣の金種毎の枚数または合計金額、あるいはその両方と、自動両替機１０に投入された貨幣の金種毎の枚数または合計金額、あるいはその両方とが一致するか否かの判断が行われる。両者の情報が一致する場合には、貨幣管理装置４０から自動両替機１０に貨幣が適正に移動されたと判断することができる。一方、両者の情報が一致しない場合には、この旨の情報が操作表示部３０に警告表示され、作業者に報知されるようになる。このことにより、貨幣管理装置４０から自動両替機１０に貨幣が適正に移動されていないことを作業者は認識することができる。また、両者の情報が一致しない場合に、その旨の情報が自動両替機１０の制御部３８から警備会社２の上位サーバ６０に送信されるようになっている。このことにより、貨幣管理装置４０から自動両替機１０に貨幣が適正に移動されていないことを警備会社２側で把握することができる。
【００５７】
次に、自動両替機１０の装填庫装着部１８の背面に設けられた各背面表示部２８の表示内容について説明する。前述したように、各背面表示部２８は、対応する装填庫２０に装填されている包装硬貨の本数、または対応する装填庫２０に装填可能な包装硬貨の本数である装填可能本数を表示するようになっているが、各背面表示部２８における表示内容はこのような態様に限定されるものではない。各背面表示部２８における表示内容の他の態様について以下に説明する。
【００５８】
自動両替機１０の装填庫装着部１８に包装硬貨をフル装填せずに一定額の準備金基準額の包装硬貨を装填する場合には、操作表示部３０によって操作者により予め入力された準備金基準額と、現在の各装填庫２０の在高との差を、各装填庫２０に装填すべき包装硬貨の数として各背面表示部２８に表示させるようになっていてもよい。ここで、「準備金基準額」とは、両替準備金として自動両替機１０に予め収納させておく貨幣（具体的には、包装硬貨）の金額のことをいい、概して自動両替機１０に貨幣をフル装填した場合の在高よりも小さい金額となる。自動両替機１０から貨幣が出金された後に当該自動両替機１０の装填庫装着部１８に一定額の準備金基準額の包装硬貨が収納された状態とする際に、本実施の形態では、各装填庫２０から昇降式のバケット２２に包装硬貨が送られる時間をできるだけ短くするために、複数の装填庫２０のうち下段の装填庫２０から順に包装硬貨を装填するよう、各装填庫２０に装填すべき包装硬貨の数が各背面表示部２８に表示される。また、包装硬貨がフル装填されない装填庫２０については左右の各装填庫２０に収納される包装硬貨の数ができるだけ均等になるよう、各装填庫２０に装填すべき包装硬貨の数が各背面表示部２８に表示される。以下、このような各背面表示部２８における包装硬貨の数の表示方法について図６を用いて説明する。
【００５９】
図５に示すように、装填庫装着部１８において左右列ごとに１４段の装填庫２０および各装填庫２０に対応する各背面表示部２８が設けられているが、図６では、例示的に、左右列ごとの、１４段の背面表示部２８のうちある金種の包装硬貨（たとえば、１０円の包装硬貨）に対応する３段分の背面表示部２８の表示例を示している。また、図６に示す例では、各装填庫２０に装填可能な包装硬貨の最大数は２５本となっている。
【００６０】
図６（ａ）（ｂ）に示す例では、左右列で各３段分の装填庫２０において、操作表示部３０によって操作者により予め入力された準備金基準額が包装硬貨１００本であり、現在の各装填庫２０の在高の合計が包装硬貨４０本である場合における、各背面表示部２８における表示内容を示している。このような場合には、各装填庫２０に追加的に装填すべき包装硬貨の本数は６０本（＝１００本−４０本）であるが、下段の装填庫２０から順に包装硬貨を装填するとともに、包装硬貨がフル装填されない装填庫２０については左右の各装填庫２０に収納される包装硬貨の数ができるだけ均等になるようにするためには、各装填庫２０に装填すべき包装硬貨の数（すなわち、各背面表示部２８における表示内容）は、図６（ｂ）に示すようなものとなる。具体的に説明すると、左右列ごとの３段の装填庫２０のうち、左右の下段の各装填庫２０には包装硬貨がフル装填される（すなわち、２５本の包装硬貨が収納された状態となる）。また、左右列ごとの３段の装填庫２０のうち、左右の中段の各装填庫２０には包装硬貨がフル装填されないが、左右の各装填庫２０に収納される包装硬貨の数ができるだけ均等になるよう包装硬貨が装填される。より詳しく説明すると、左の中段の装填庫２０に１８本（＝１１本＋７本）の包装硬貨が収納されるようにし、右の中段の装填庫２０に１７本（＝１４本＋３本）の包装硬貨が収納されるようにすることにより、左右の中段の各装填庫２０に収納される包装硬貨の数の差をできるだけ少なくする。
【００６１】
また、図６（ｃ）（ｄ）に示す例では、左右列で各３段分の装填庫２０において、操作表示部３０によって操作者により予め入力された準備金基準額が包装硬貨１２０本であり、現在の各装填庫２０の在高の合計が包装硬貨４０本である場合における、各背面表示部２８における表示内容を示している。このような場合には、各装填庫２０に追加的に装填すべき包装硬貨の本数は８０本（＝１２０本−４０本）であるが、下段の装填庫２０から順に包装硬貨を装填するとともに、包装硬貨がフル装填されない装填庫２０については左右の各装填庫２０に収納される包装硬貨の数ができるだけ均等になるようにするためには、各装填庫２０に装填すべき包装硬貨の数（すなわち、各背面表示部２８における表示内容）は、図６（ｄ）に示すようなものとなる。具体的に説明すると、左右列ごとの３段の装填庫２０のうち、左右の下段および中段の各装填庫２０には包装硬貨がフル装填される。また、左右列ごとの３段の装填庫２０のうち、左右の上段の各装填庫２０には包装硬貨がフル装填されないが、左右の各装填庫２０に収納される包装硬貨の数ができるだけ均等になるよう包装硬貨が装填される。より詳しく説明すると、左の上段の装填庫２０における在高は包装硬貨１５本であるが、左の上段の装填庫２０に装填されるべき包装硬貨の数を０本とするとともに右の上段の装填庫２０に装填されるべき包装硬貨を５本とすることにより、左右の上段の各装填庫２０に収納される包装硬貨の数の差をできるだけ少なくする。
【００６２】
また、図６（ｅ）（ｆ）に示す例では、左右列で各３段分の装填庫２０において、操作表示部３０によって操作者により予め入力された準備金基準額が包装硬貨１４０本であり、現在の各装填庫２０の在高の合計が包装硬貨４０本である場合における、各背面表示部２８における表示内容を示している。このような場合には、各装填庫２０に追加的に装填すべき包装硬貨の本数は１００本（＝１４０本−４０本）であるが、下段の装填庫２０から順に包装硬貨を装填するとともに、包装硬貨がフル装填されない装填庫２０については左右の各装填庫２０に収納される包装硬貨の数ができるだけ均等になるようにするためには、各装填庫２０に装填すべき包装硬貨の数（すなわち、各背面表示部２８における表示内容）は、図６（ｆ）に示すようなものとなる。具体的に説明すると、左右列ごとの３段の装填庫２０のうち、左右の下段および中段の各装填庫２０には包装硬貨がフル装填される。また、左右列ごとの３段の装填庫２０のうち、左右の上段の各装填庫２０には包装硬貨がフル装填されないが、左右の各装填庫２０に収納される包装硬貨の数ができるだけ均等になるよう包装硬貨が装填される（すなわち、左右の上段の装填庫２０にそれぞれ２０本の包装硬貨が収納されるようにする）。
【００６３】
このように、自動両替機１０の装填庫装着部１８に包装硬貨をフル装填せずに一定額の準備金基準額の包装硬貨を装填する場合には、操作者により予め入力された準備金基準額と、現在の各装填庫２０の在高との差を、各装填庫２０に装填すべき包装硬貨の数として各背面表示部２８に表示することにより、各装填庫２０に包装硬貨を装填するときの作業時間を短縮することができる。また、下段の装填庫２０から順に包装硬貨を装填するとともに、包装硬貨がフル装填されない装填庫２０については左右の各装填庫２０に収納される包装硬貨の数ができるだけ均等になるよう、各装填庫２０に装填すべき包装硬貨の数を各背面表示部２８に表示した場合には、包装硬貨処理部１６から包装硬貨を投出する際に、各装填庫２０から昇降式のバケット２２に包装硬貨が送られる時間を短縮することができる。
【００６４】
また、各背面表示部２８における表示内容の更に他の態様について以下に説明する。前述したように、各背面表示部２８は、対応する装填庫２０に装填されている包装硬貨の本数（現在の在高）、または対応する装填庫２０に装填可能な包装硬貨の本数である装填可能本数を表示するようになっているが、どちらの内容を各背面表示部２８に表示させるかについて包装硬貨の処理内容に応じて選択することができるようになっていてもよい。このような態様について図７を用いて具体的に説明する。
【００６５】
包装硬貨処理部１６や装填庫装着部１８における処理内容としては、各装填庫２０に包装硬貨を装填する装填処理、各装填庫２０から包装硬貨を回収する回収処理、各装填庫２０に収納されている包装硬貨の収納本数の計数を自動的に行う自動精査処理等があるが、処理内容によって、各装填庫２０に対応する各背面表示部２８における表示内容を異なるようにしたいとの要望がある。このような要望に対応するために、自動両替機１０の操作表示部３０により、各装填庫２０に装填されている包装硬貨の本数（現在の在高）、および各装填庫２０に装填可能な包装硬貨の本数である装填可能本数のうちどちらの内容を各背面表示部２８に表示するかを設定することができるようになっている。図７に、操作表示部３０における設定画面を示す。
【００６６】
図７に示すように、「装填」「回収」「自動精査」「待機中」の各処理について「現在の在高」および「装填可能本数」のうちどちらの内容を各背面表示部２８に表示させるかについて操作表示部３０により設定を行うことができるようになっている。具体的には、装填処理を行う場合には、各背面表示部２８には、対応する各装填庫２０に装填可能な包装硬貨の本数である装填可能本数が表示される。このことにより、包装硬貨をこれ以上装填することができない装填庫２０（すなわち、装填可能本数が０である装填庫２０）の所在を明確にすることができるため、装填庫２０の無駄な引き出しを防止することができる。また、回収処理を行う場合には、各背面表示部２８には、対応する各装填庫２０に装填されている包装硬貨の本数（現在の在高）が表示される。このことにより、包装硬貨が収納されていない空の装填庫２０（すなわち、現在の在高が０である装填庫２０）の所在を明確にすることができるため、装填庫２０の無駄な引き出しを防止することができる。また、自動精査処理を行う場合には、各背面表示部２８には、対応する各装填庫２０に装填されている包装硬貨の本数（現在の在高）が表示される。このことにより、各装填庫２０に包装硬貨が何本収納されているかを操作者は目視にてすぐに確認することができるようになる。また、待機中のときには、各背面表示部２８には、対応する各装填庫２０に装填可能な包装硬貨の本数である装填可能本数が表示される。このことにより、待機中の際に、各装填庫２０に包装硬貨を何本装填することができるかを操作者は目視にてすぐに確認することができるようになる。
【００６７】
このように、各背面表示部２８に表示させる内容について図７に示すような設定を行うことにより、操作者が行う操作の内容に応じて各背面表示部２８に表示される内容を自動的に切り替えることができる。このため、操作者にとって必要のない装填庫２０の引き出しといった無駄な作業を省くことができ、作業時間を短縮することができる。
【００６８】
なお、図７に示すような各背面表示部２８に表示させる内容については、操作者が操作表示部３０により自在に変更可能となっている。このことにより、例えば回収処理時にも各背面表示部２８に装填可能本数を表示させるといった、フレキシブルな対応を行うことができる。
【００６９】
また、更なる変形例では、「装填」「回収」「自動精査」「待機中」の各処理について「現在の在高」および「装填可能本数」のうちいずれか一方の内容を各背面表示部２８に表示させる代わりに、上記の各処理について「現在の在高」および「両替準備金として自動両替機１０に予め収納させておく包装硬貨の本数から現在の在高を差し引いた本数（すなわち、図６（ｂ）（ｄ）（ｆ）に示されるような包装硬貨の本数）」のうちいずれか一方の内容を各背面表示部２８に表示させるようになっていてもよい。この場合には、上記の各処理について「現在の在高」および「両替準備金として自動両替機１０に予め収納させておく包装硬貨の本数から現在の在高を差し引いた本数」のうちどちらの内容を各背面表示部２８に表示させるかについて操作表示部３０において設定を行うことができるようになる。
【００７０】
以上のように本実施の形態の貨幣処理システムによれば、自動両替機１０および貨幣管理装置４０は互いに通信接続されており、判断手段３４は、自動両替機１０および貨幣管理装置４０にそれぞれ投入されたまたは投出された貨幣の金種毎の総枚数または総金額と、操作表示部３０により手入力された情報または上位サーバ６０から送信された情報に係る貨幣の金種毎の枚数または合計金額とが一致するか否かを判断するようになっている。このことにより、警備会社２から金融機関や商業施設等の店舗１に運搬された貨幣が不正なく適正に自動両替機１０および貨幣管理装置４０にそれぞれ収納されたか否か、あるいは自動両替機１０および貨幣管理装置４０からそれぞれ貨幣が不正なく適正に回収されたか否かを判断することができるようになる。
【００７１】
また、本実施の形態の貨幣処理システムにおいては、判断手段３４により、自動両替機１０および貨幣管理装置４０にそれぞれ投入されたまたは投出された貨幣の金種毎の総枚数または総金額と、操作表示部３０により手入力された情報または上位サーバ６０から送信された情報に係る貨幣の金種毎の枚数または合計金額とが一致しないと判断されたときに、操作表示部３０によりこのことが操作者に報知されるようになっている。このことにより、操作者は、警備会社２から金融機関や商業施設等の店舗１に運搬された貨幣が不正なく適正に自動両替機１０および貨幣管理装置４０にそれぞれ収納されたか否か、あるいは自動両替機１０および貨幣管理装置４０からそれぞれ貨幣が不正なく適正に回収されたか否かを確実に認識することができるようになる。この場合、操作表示部３０は、貨幣の補充動作や回収動作が適正に行われていないことを操作者に警告するための報知手段として機能するようになる。
【００７２】
また、本実施の形態の貨幣処理システムにおいては、報知手段である操作表示部３０は、自動両替機１０および貨幣管理装置４０のうちのいずれか一方、具体的には自動両替機１０に設置されている。このことにより、操作者が自動両替機１０を操作しているときに、貨幣の補充動作や回収動作が適正に行われていない場合にはこのことが報知手段である操作表示部３０により操作者に警告されるようになる。
【００７３】
また、本実施の形態の貨幣処理システムにおいては、判断手段３４は、自動両替機１０および貨幣管理装置４０のうち貨幣管理装置４０から投出された貨幣の金種毎の枚数または合計金額と、自動両替機１０に投入された貨幣の金種毎の枚数または合計金額とが一致するか否かを判断するようになっている。このことにより、貨幣管理装置４０から貨幣を取り出して自動両替機１０に補充する際に、貨幣管理装置４０から自動両替機１０に貨幣が適正に移動されたか否かを判断することができるようになる。
【００７４】
なお、本実施の形態による貨幣処理システムは、上述したような態様に限定されることはなく、様々な変更を加えることができる。
【００７５】
例えば、自動両替機１０に設けられた判断手段３４による判断手法は上述のようなものに限定されることはない。変形例において、判断手段３４は、操作表示部３０により手入力された情報または上位サーバ６０から送信された情報に係る貨幣の金種毎の枚数または合計金額から、自動両替機１０および貨幣管理装置４０のうち自動両替機１０に投入されたまたは投出された貨幣の金種毎の枚数または合計金額を差し引いた値が、貨幣管理装置４０に投入されたまたは投出された貨幣の金種毎の枚数または合計金額と一致するか否かを判断するようになっていてもよい。
【００７６】
より詳細に説明すると、警備会社２から金融機関や商業施設等の店舗１に運搬された貨幣を自動両替機１０や貨幣管理装置４０に収納する場合、自動両替機１０の判断手段３４によって、操作表示部３０により手入力された情報または上位サーバ６０から送信された情報に係る貨幣の金種毎の枚数または合計金額から、自動両替機１０に投入された貨幣の金種毎の枚数または合計金額を差し引いた値が、貨幣管理装置４０に投入された貨幣の金種毎の枚数または合計金額と一致するか否かの判断が行われる。両者の情報が一致する場合には、警備会社２から金融機関や商業施設等の店舗１に運搬された貨幣が不正なく適正に自動両替機１０および貨幣管理装置４０にそれぞれ収納されたと判断することができる。一方、両者の情報が一致しない場合には、この旨の情報が操作表示部３０に警告表示され、作業者に報知されるようになる。このことにより、警備会社２から金融機関や商業施設等の店舗１に運搬された貨幣が適正に自動両替機１０や貨幣管理装置４０に収納されていないことを作業者は認識することができる。また、両者の情報が一致しない場合に、その旨の情報が自動両替機１０の制御部３８から警備会社２の上位サーバ６０に送信されるようになっている。このことにより、警備会社２から金融機関や商業施設等の店舗１に運搬された貨幣が適正に自動両替機１０や貨幣管理装置４０に収納されていないことを警備会社２側で把握することができる。
【００７７】
また、自動両替機１０や貨幣管理装置４０に収納されている貨幣を回収する場合、自動両替機１０の判断手段３４によって、操作表示部３０により手入力された情報または上位サーバ６０から送信された情報に係る貨幣の金種毎の枚数または合計金額から、自動両替機１０から投出された貨幣の金種毎の枚数または合計金額を差し引いた値が、貨幣管理装置４０から投出された貨幣の金種毎の枚数または合計金額と一致するか否かの判断が行われる。両者の情報が一致する場合には、自動両替機１０および貨幣管理装置４０からそれぞれ貨幣が不正なく適正に回収されたと判断することができる。一方、両者の情報が一致しない場合には、この旨の情報が操作表示部３０に警告表示され、作業者に報知されるようになる。このことにより、自動両替機１０や貨幣管理装置４０から貨幣が適正に回収されていないことを作業者は認識することができる。また、両者の情報が一致しない場合に、その旨の情報が自動両替機１０の制御部３８から警備会社２の上位サーバ６０に送信されるようになっている。このことにより、自動両替機１０や貨幣管理装置４０から貨幣が適正に回収されていないことを警備会社２側で把握することができる。
【００７８】
このような変形例に係る貨幣処理システムでも、判断手段３４が、操作表示部３０により手入力された情報または上位サーバ６０から送信された情報に係る貨幣の金種毎の枚数または合計金額から、自動両替機１０および貨幣管理装置４０のうち自動両替機１０に投入されたまたは投出された貨幣の金種毎の枚数または合計金額を差し引いた値が、貨幣管理装置４０に投入されたまたは投出された貨幣の金種毎の枚数または合計金額と一致するか否かを判断することにより、警備会社２から金融機関や商業施設等の店舗１に運搬された貨幣が不正なく適正に自動両替機１０および貨幣管理装置４０にそれぞれ収納されたか否か、あるいは自動両替機１０および貨幣管理装置４０からそれぞれ貨幣が不正なく適正に回収されたか否かを判断することができるようになる。
【００７９】
また、図１等に示す例では、貨幣処理装置として自動両替機１０および貨幣管理装置４０の２つの装置が設けられ、これらの２つの装置が互いに通信接続されている態様について説明しているが、貨幣処理システムに設けられる貨幣処理装置の数が３つ以上であってもよい。具体的には、貨幣処理システムとして、複数の自動両替機１０および１つの貨幣管理装置４０が店舗２内に設置されていてもよい。この場合、各自動両替機１０に設けられた判断手段３４は、複数の自動両替機１０および一の貨幣管理装置４０にそれぞれ投入されたまたは投出された貨幣の金種毎の総枚数または総金額と、操作表示部３０により手入力された情報または上位サーバ６０から送信された情報に係る貨幣の金種毎の枚数または合計金額とが一致するか否かを判断するようになっていてもよい。他の態様としては、各自動両替機１０に設けられた判断手段３４は、操作表示部３０により手入力された情報または上位サーバ６０から送信された情報に係る貨幣の金種毎の枚数または合計金額から、自動両替機１０および貨幣管理装置４０のうち一の自動両替機１０に投入されたまたは投出された貨幣の金種毎の枚数または合計金額を差し引いた値が、他の全ての自動両替機１０および貨幣管理装置４０に投入されたまたは投出された貨幣の金種毎の総枚数または総金額と一致するか否かを判断するようになっていてもよい。
【００８０】
また、店舗２内に設置された貨幣処理システムにおいて、自動両替機１０および貨幣管理装置４０の他に、これらの自動両替機１０および貨幣管理装置４０にそれぞれ通信接続された端末機（図示せず）が設けられており、判断手段３４が自動両替機１０の代わりに端末機に設置されるようになっていてもよい。この場合、貨幣の補充動作や回収動作が適正に行われていないことを操作者に報知するための報知手段も端末機に設置されるようになっていてもよい。
【００８１】
また、判断手段３４は、自動両替機１０に設置される代わりに、貨幣管理装置４０に設置されるようになっていてもよい。この場合、貨幣管理装置４０の表示部４７が、貨幣の補充動作や回収動作が適正に行われていないことを操作者に報知するための報知手段として機能するようになっていてもよい。
【００８２】
また、本実施の形態では、自動両替機１０は、バラ硬貨、バラ紙幣および包装硬貨を収納するようになっており、貨幣管理装置４０は、帯紙幣および包装硬貨を収納するようになっているが、これらの自動両替機１０や貨幣管理装置４０における収納対象は上記のものに限定されることはない。
【００８３】
また、本発明による貨幣処理装置は、自動両替機１０や貨幣管理装置４０に限定されることはない。貨幣を機体内に投入して収納したり機体外に投出したりすることができるものであれば、貨幣処理装置として自動両替機１０や貨幣管理装置４０以外のものを用いてもよい。概して、一つの貨幣処理装置内に入りきらないような大量の貨幣を処理したい場合には、複数の貨幣処理装置を設置するとともに本件発明の原理を用いることにより、貨幣の厳正な管理を行うことができるようになる。
【符号の説明】
【００８４】
１  店舗
２  警備会社
１０  自動両替機
１２  バラ硬貨処理部
１２ａ  バラ硬貨収納部分
１２ｂ  バラ硬貨取出口
１２ｃ  シャッタ
１２ｐ  計数手段
１４  バラ紙幣処理部
１４ａ  バラ紙幣収納部分
１４ｂ  バラ紙幣取出口
１４ｃ  シャッタ
１４ｐ  計数手段
１６  包装硬貨処理部
１６ａ  包装硬貨取出口
１６ｂ  シャッタ
１８  装填庫装着部
１８ｐ  計数手段
２０  装填庫
２１  係員用表示部
２２  バケット
２３  装着センサ
２４  開閉扉
２６  開閉扉
２８  背面表示部
３０  操作表示部
３２  記憶部
３４  判断手段
３６  インターフェース
３８  制御部
４０  貨幣管理装置
４１  第１紙幣収納ドロア
４２  第２紙幣収納ドロア
４３  第１硬貨収納ドロア
４４  第２硬貨収納ドロア
４５  予備収納ドロア
４６  操作部
４７  表示部
４８  ＩＤカードリーダ
５０  制御部
５２  記憶部
５４  インターフェース
６０  上位サーバ
【図１】
2014081801.tif 000003
【図２】
2014081801.tif 000004
【図３】
2014081801.tif 000005
【図４】
2014081801.tif 000006
【図５】
2014081801.tif 000007
【図６】
2014081801.tif 000008
【図７】
2014081801.tif 000009